(57)【要約】【課題】  竜頭の誤操作を防止する操作及び竜頭の操作を可能とするための操作性を向上できる携帯時計を提供する。【解決手段】  携帯時計11は、時計外装体12、竜頭31、竜頭ロック釦45、及び付勢部材49を具備する。外装体12が備える胴21に、竜頭取付け孔27とこの孔に連通しかつ上下に直交する部材取付け部41を形成する。孔27に竜頭31を配設する。竜頭31は孔27に通された竜頭軸31a及びこれに連続した竜頭頭部32を有する。竜頭軸に周方向に連続するロック溝39を設ける。取付け部41に収納されたロック釦45は、取付け部から突出された釦頭部（操作端部）48を有する。釦45は、溝39に係合して竜頭を拘束するロック位置及び溝39から外れて竜頭の拘束を解除するロック解除位置にわたって移動可能であり、釦頭部48のワンタッチ操作でロック解除位置に配置される。取付け部41に収納された付勢部材49で釦45をロック位置に配置されるように付勢したことを特徴としている。【選択図】図２
2010190856.tif 000002
【特許請求の範囲】
【請求項１】
胴を備え、この胴に半径方向に貫通して形成された竜頭取付け孔、及びこの竜頭取付け孔の中央部から外れた部位に連通して前記竜頭取付け孔に対し上下に直交するとともに上端が開放されて前記胴に形成された部材取付け部を有する時計外装体と、
周方向に連続するロック溝が設けられた竜頭軸及びこの軸に連続する竜頭頭部を有し、前記竜頭軸を前記竜頭取付け孔に挿通させて配設された竜頭と、
前記部材取付け部の開放された上端より突出される操作端部を有して前記部材取付け部に収納され、前記ロック溝に係合して前記竜頭を拘束するロック位置及び前記ロック溝から外れて前記竜頭の拘束を解除するロック解除位置にわたって移動可能であるとともに、前記操作端部のワンタッチ操作で前記ロック解除位置に配置される竜頭ロック部材と、
前記部材取付け部に収納されて前記竜頭ロック部材を前記ロック位置に配置されるように付勢する付勢部材と、
を具備したことを特徴とする携帯時計。
【請求項２】
前記竜頭ロック部材が下方に押し込み可能な竜頭ロック釦からなり、このロック釦が、前記ロック位置で前記ロック溝に係合するとともに前記ロック解除位置で前記竜頭軸の移動軌跡から外れて配置される係合軸部、及びこの軸部の上側に連続されて前記ロック解除位置で前記竜頭軸の移動軌跡から外れて配置される逃げ軸部を有していることを特徴とする請求項１の記載の携帯時計。
【請求項３】
前記竜頭ロック部材がその下端部を中心に前記竜頭軸に接離するように傾動可能な竜頭ロックレバーであることを特徴とする請求項１の記載の携帯時計。
【請求項４】
前記竜頭が最大に引き出された状態でも、前記ロック溝が前記竜頭取付け孔内に配置されていて、前記ロック溝の両側に連続した前記竜頭軸の軸部位が前記竜頭取付け孔の内面で支持されていることを特徴とする請求項１から３の内のいずれか一項に記載の携帯時計。
【請求項５】
前記竜頭軸が、巻真が連結されるとともに係止凸部を有した第１の軸部材と、この第１の軸部材を受入れる包囲端部及び前記ロック溝を有して前記竜頭頭部に連続され、かつ、前記係止凸部を摺動可能な係止溝が前記包囲端部に設けられた第２の軸部材とを備え、これら両軸部材間に前記第２の軸部材を胴外側に向けて付勢する付勢体が圧縮状態に挟設されていることを特徴とする請求項１から４の内のいずれか一項に記載の携帯時計。
【請求項６】
前記竜頭ロック釦の軸方向と直交する方向の断面が円形であるとともに、前記付勢体の付勢力が前記付勢部材の付勢力と同じかそれより小さいことを特徴とする請求項１，２．４，５の内のいずれか一項に記載の携帯時計。
【請求項７】
前記部材取付け部が、上端が開放された上孔部と、下端が開放された下孔部と、これら上下の孔部より小径で前記竜頭取付け孔に連通された中間孔部とを有し、前記竜頭ロック釦が、前記中間孔部を摺動する前記係合軸部と、前記逃げ軸部と、この逃げ軸部の上側に連続して前記上孔部に没入可能な釦頭部とを有し、この釦頭部と前記上孔部の底との間に前記付勢部材が圧縮状態に挟設されているとともに、前記下孔部の底に下方から接離されるストッパが前記係合軸部の下端部に取付けられていることを特徴とする請求項２、４から６の内のいずれか一項に記載の携帯時計。
【請求項８】
前記胴に前記下孔部を閉じるキャップが取付けられていて、このキャップが前記時計外装体の裏蓋の表面より高く配置されていることを特徴とする請求項７に記載の携帯時計。
【請求項９】
前記胴の内側に配設された文字板の３時側に対応して前記胴に凸部が形成され、この凸部に前記竜頭ロック部材及び付勢部材が配設されていることを特徴とする請求項１から８の内のいずれか一項に記載の携帯時計。
【発明の詳細な説明】
【技術分野】
【０００１】
本発明は、携帯時等に竜頭の誤操作を防止できる構成を備えた腕時計や懐中時計等の携帯時計に関する。
【背景技術】
【０００２】
腕時計では、その携帯時に竜頭の誤操作、つまり、竜頭が誤って引出されてこの竜頭が不用意に回転されないようにすることが求められている。
【０００３】
そのために竜頭をロックできる従来技術として、胴に固定された巻真パイプの胴外側に突出された管状突出部の外周に雄ねじ部を設け、竜頭を、巻真パイプに挿通された軸部と、管状突出部を受け入れ可能でかつ雌ねじ部が設けられた竜頭頭部とで形成するとともに、これら軸部と竜頭頭部との間にコイルばねを配置し、竜頭頭部の雌ねじ部を管状突出部の雄ねじ部に螺合させることにより、竜頭を巻真パイプに螺合して固定できる時計が知られている（例えば、特許文献１参照。）。
【０００４】
この他に、竜頭をロックできる従来技術として、胴に固定された巻真パイプの胴外側に突出された管状突出部の外周に雄ねじ部を設けるとともに停止リングを取付け、軸部とこれに一体な竜頭頭部を有してなる竜頭の前記軸部を巻真パイプに挿通し、竜頭頭部を受け入れ可能な保護枠部と雌ねじ部を有してなるプロテクタの前記雌ねじ部を、管状突出部の雄ねじ部に螺合させて、このプロテクタを、停止リングで位置決めされて竜頭頭部を囲むように配置される保護位置と、竜頭頭部を露出させるように配置される待避位置とにわたり移動可能に設けて、保護位置にプロテクタを配置することにより不用意な竜頭操作を防止できる時計が知られている（例えば、特許文献１参照。）。
【先行技術文献】
【特許文献】
【０００５】
【特許文献１】特開２０００−３２９８６７号公報
【発明の概要】
【発明が解決しようとする課題】
【０００６】
特許文献１に記載された従来技術は、竜頭の誤操作を防止する際及び竜頭の操作を可能とする際のいずれにおいても、竜頭頭部又はこの竜頭頭部を保護するプロテクタを回転させる手間を要するので、操作性が良くない。その上、時計が腕に取付けられたままでは、竜頭頭部又はプロテクタを回転させる操作に対して腕が邪魔になり易いので、竜頭等を回転させる手指の作業空間を確保するために、一般的には時計を腕から外して操作することを余儀なくされており、この点でも操作性が良くない。
【０００７】
以上のように従来技術によれば、竜頭の誤操作を防止する操作及び竜頭の操作を可能とするための操作性が良くない、という課題がある。
【課題を解決するための手段】
【０００８】
上記の課題を解決するために、本発明は、胴を備え、この胴に半径方向に貫通して形成された竜頭取付け孔、及びこの竜頭取付け孔の中央部から外れた部位に連通して前記竜頭取付け孔に対し上下に直交するとともに上端が開放されて前記胴に形成された部材取付け部を有する時計外装体と、周方向に連続するロック溝が設けられた竜頭軸及びこの軸に連続する竜頭頭部を有し、前記竜頭軸を前記竜頭取付け孔に挿通させて配設された竜頭と、前記部材取付け部の開放された上端より突出される操作端部を有して前記部材取付け部に収納され、前記ロック溝に係合して前記竜頭を拘束するロック位置及び前記ロック溝から外れて前記竜頭の拘束を解除するロック解除位置にわたって移動可能であるとともに、前記操作端部のワンタッチ操作で前記ロック解除位置に配置される竜頭ロック部材と、前記部材取付け部に収納されて前記竜頭ロック部材を前記ロック位置に配置されるように付勢する付勢部材と、を具備したことを特徴としている。
【０００９】
本発明で、竜頭取付け孔の中央部とは、この取付け孔の中心軸線と直交する方向の孔断面の中央部を指している。したがって、本発明で、部材取付け部が竜頭取付け孔の中央部から外れた位置に連通するとは、竜頭取付け孔の前記孔断面での周部に部材取付け部が連通していることを指している。
【００１０】
本発明で、部材取付け部は、貫通孔で形成されていても、底がある穴で作られていてもよいとともに、この部材取付け部に中心軸線と直交する方向の孔断面は円形であることが、胴に対する部材取付け部の加工を容易にする上では好ましいが、それには制約されない。本発明で、竜頭ロック部材も、その軸方向と直交する方向の断面は円形であることが、加工を容易にする上では好ましいが、それには制約されず、部材取付け部の孔断面の形状に応じたものを採用すればよい。
【００１１】
本発明で、操作端部のワンタッチ操作とは、竜頭ロック部材をその中心軸線周りに回転させることなく、竜頭ロック部材を単に押下げる操作、又は竜頭ロック部材を単に傾ける操作を指している。本発明で、付勢部材には、コイルばねや板ばねを好適に用いることができるが、それ以外の弾性変形が可能な材料例えばゴムやエラストマ等を用いることも可能である。本発明で、竜頭軸は、一体構造の単一軸部材から形成されていてもよく、或いは複数の軸部材を組み合わせて形成されていても差し支えない。
【００１２】
本発明の携帯時計では、通常、付勢部材の付勢力で竜頭ロック部材がロック位置に配置されて、このロック部材が竜頭のロック溝に係合した状態に保持されている。このため、携帯時計の携帯中に、竜頭の胴外側に向かう力が加わった場合でも、竜頭が誤って引出されないとともに、それに伴い竜頭の誤った回転操作を防止できる。
【００１３】
本発明の携帯時計で例えば時刻修正等の際に使用者が竜頭を操作するには、まず、胴より上方に突出されている竜頭ロック部材の操作端部に使用者の指を掛けて、回転操作を伴うことなく例えば竜頭ロック部材を単に押込む等のワンタッチ操作で、竜頭ロック部材をロック位置からロック解除位置に配置させる。これにより、竜頭ロック部材が竜頭のロック溝から外されて、竜頭の軸方向移動が可能となる。したがって、この状態で、使用者は竜頭頭部に指を掛けて竜頭を引出して竜頭を操作できる。
【００１４】
この竜頭操作後に、使用者により竜頭がワンタッチで押し込まれる。それにより、竜頭のロック溝が竜頭ロック部材に対向されるに伴い、付勢部材の付勢力で竜頭ロック部材がロック溝に係合されて、竜頭が誤引出しされない状態に保持される。
【００１５】
以上のように本発明では、竜頭の誤操作を防止することを竜頭のワンタッチ押込み操作で実現できるとともに、竜頭の操作を可能とすることを竜頭ロック部材のワンタッチ操作で実現できるので、いずれの場合でも操作性が良い。
【００１６】
本発明の好ましい形態では、前記竜頭ロック部材が下方に押し込み可能な竜頭ロック釦からなり、このロック釦が、前記ロック位置で前記ロック溝に係合するとともに前記ロック解除位置で前記竜頭軸の移動軌跡から外れて配置される係合軸部、及びこの軸部の上側に連続されて前記ロック解除位置で前記竜頭軸の移動軌跡から外れて配置される逃げ軸部を有していることを特徴としている。
【００１７】
この好ましい形態では、竜頭ロック部材が竜頭ロック釦からなるので、これを下方に押し込むというワンタッチ操作で、竜頭の操作を可能とすることができる。つまり、竜頭ロック釦がロック位置から下方に押し込まれることにより、その係合軸部及び逃げ軸部が、竜頭の引出し操作の邪魔にならないように竜頭軸の移動軌跡から外されてロック解除位置に配置される。そして、竜頭操作後に、竜頭がワンタッチ操作で押し込まれると、竜頭のロック溝が竜頭ロック部材に対向されるに伴い、付勢部材の付勢力で竜頭ロック部材が押上げられて、その係合軸部がロック溝に係合されて、竜頭が誤引出しされない状態に保持される。
【００１８】
以上のようにこの好ましい形態では、竜頭の誤操作を防止すること及び竜頭の操作を可能とすることを、竜頭のワンタッチ押込み操作と竜頭ロック部材のワンタッチ押込み操作で実現できるので、操作性が良い。
【００１９】
本発明の好ましい形態では、前記竜頭ロック部材がその下端部を中心に前記竜頭軸に接離するように傾動可能な竜頭ロックレバーであることを特徴としている。
【００２０】
この好ましい形態では、竜頭ロック部材が傾動可能な竜頭ロックレバーからなるので、これを傾けるというワンタッチ操作で、竜頭の操作を可能とすることができる。つまり、ロック位置に配置されている竜頭ロックレバーが竜頭軸から離れるように傾けられることにより、このレバーが竜頭の引出し操作の邪魔にならないように竜頭軸の移動軌跡から外れてロック解除位置に配置される。そして、竜頭操作後に、竜頭がワンタッチ操作で押し込まれると、竜頭のロック溝が竜頭ロックレバーに対向されるに伴い、付勢部材の付勢力で竜頭ロックレバーが竜頭軸に接触するように押し戻されてロック溝に係合されるので、竜頭が誤引出しされない状態に保持される。
【００２１】
以上のようにこの好ましい形態では、竜頭の誤操作を防止すること及び竜頭の操作を可能とすることを、竜頭のワンタッチ押込み操作と竜頭ロック部材をなした竜頭ロックレバーを傾動させるワンタッチ操作で実現できるので、操作性が良い。
【００２２】
本発明の好ましい形態では、前記竜頭が最大に引き出された状態でも、前記ロック溝が前記竜頭取付け孔内に配置されていて、前記ロック溝の両側に連続した前記竜頭軸の軸部位が前記竜頭取付け孔の内面で支持されていることを特徴としている。
【００２３】
この好ましい形態では、竜頭軸の強度が竜頭軸に設けられたロック溝により低下しているにも拘らず、このロック溝の両側に連続した一対の軸部位が竜頭取付け孔の内面で支持されている。このため、竜頭が最大に引出された状態で携帯時計が落下した場合でも、その衝撃を一対の軸部位を介して胴で支持できる。これに伴い、一対の軸部位間に前記衝撃が集中して加わらないようになるので、竜頭軸が変形する恐れがない。
【００２４】
本発明の好ましい形態では、前記竜頭軸が、巻真が連結されるとともに係止凸部を有した第１の軸部材と、この第１の軸部材を受入れる包囲端部及び前記ロック溝を有して前記竜頭頭部に連続され、かつ、前記係止凸部を摺動可能な係止溝が前記包囲端部に設けられた第２の軸部材とを備え、これら両軸部材間に前記第２の軸部材を胴外側に向けて付勢する付勢体が圧縮状態に挟設されていることを特徴としている。
【００２５】
この好ましい形態では、竜頭ロック部材がロック解除位置に配置されて竜頭の操作が可能となるに伴い、竜頭の第２の軸部材及びこれに連続されている竜頭頭部が、第１、第２の軸部材間に圧縮状態で挟まれた付勢体の付勢力で胴外側に押し出される。この場合、第１の軸部材は動かないので、その係止凸部に対して第２の軸部材の係合溝が摺動して、以上の押し出しが行われる。これにより、使用者にとって竜頭頭部が指で掴まれ易くなるので、竜頭の更なる引出し操作やその後の回転操作等の竜頭操作をより容易に行うことが可能である。竜頭が引出された状態で竜頭頭部が回転されると、その回転は係合溝と係止凸部との係合箇所を介して第１の軸部材に伝えられて、時刻の修正等が行われる。又、竜頭が押し込まれると、係合溝が係止凸部を摺動しつつ包囲端部が第１の軸部材を更に深く受け入れるので、付勢体が圧縮される。そして、竜頭の押し込みが完了すると、その時点で竜頭ロック部材が竜頭のロック溝に係合されるので、付勢体は圧縮状態に保持される。
【００２６】
本発明の好ましい形態では、前記竜頭ロック釦の軸方向と直交する方向の断面が円形であるとともに、前記付勢体の付勢力が前記付勢部材の付勢力と同じかそれより小さいことを特徴としている。
【００２７】
この好ましい形態では、竜頭ロック釦の断面が円形であるので、竜頭ロック釦を形成する加工、及びこの竜頭ロック釦が収納される部材取付け部を胴に形成する加工が容易である。そのため、断面が円形の竜頭ロック釦が部材取付け部内で回転する可能性があるにも拘らず、付勢体の力で竜頭ロック釦が回転される恐れがなく、その結果、竜頭が胴外側に更に不用意に突出されないようにできる。
【００２８】
本発明の好ましい形態では、前記部材取付け部が、上端が開放された上孔部と、下端が開放された下孔部と、これら上下の孔部より小径で前記竜頭取付け孔に連通された中間孔部とを有し、前記竜頭ロック釦が、前記中間孔部を摺動する前記係合軸部と、前記逃げ軸部と、この逃げ軸部の上側に連続して前記上孔部に没入可能な釦頭部とを有し、この釦頭部と前記上孔部の底との間に前記付勢部材が挟設されているとともに、前記下孔部の底に下方から接離されるストッパが前記係合軸部の下端部に取付けられていることを特徴としている。
【００２９】
この好ましい形態では、部材取付け部が胴を上下方向に貫通して設けられるので、胴に底が有る穴を加工する場合に比較して胴に対する部材取付け部の加工が容易である。更に、この部材取付け部に収納された竜頭ロック釦が付勢部材で上向きに付勢されているにも拘らず、この竜頭ロック釦が上方へ抜け出ることをストッパによって防止できる。これとともに、ストッパは竜頭ロック釦の下方への移動を妨げないので、竜頭ロック釦をワンタッチ押下げ操作でロック解除位置に配置させることができる。
【００３０】
本発明の好ましい形態では、前記胴に前記下孔部を閉じるキャップが取付けられていて、このキャップが前記時計外装体の裏蓋の表面より高く配置されていることを特徴としている。
【００３１】
この好ましい形態の携帯時計は、使用者の手に装着して使用される場合に、下孔部を閉じたキャップが手の肌に強く接して違和感を与えることを抑制できるので、使用感が良い。
【００３２】
本発明の好ましい形態では、前記胴の内側に配設された文字板の３時側に対応して前記胴に凸部が形成され、この凸部に前記竜頭ロック部材及び付勢部材が配設されていることを特徴としている。
【００３３】
この好ましい形態によれば、胴全体を大径に作ることなく、竜頭ロック部材及び付勢部材を胴に設けることができる。
【発明の効果】
【００３４】
本発明の携帯時計によれば、竜頭の誤操作を防止する操作及び竜頭の操作を可能とするための操作性を向上できる、という効果がある。
【図面の簡単な説明】
【００３５】
【図１】本発明の第１実施形態に係る腕時計をその竜頭ロック釦がロック位置に在る状態で示す正面図である。
【図２】図１中Ｆ２−Ｆ２線に沿って示す断面図である。
【図３】図２中Ｆ３−Ｆ３線に沿って示す断面図である。
【図４】図３中Ｆ４−Ｆ４線に沿って示す断面図である。
【図５】第１実施形態に係る腕時計をその竜頭ロック釦がロック解除位置に在る状態で示す正面図である。
【図６】図５中Ｆ６−Ｆ６線に沿って示す断面図である。
【図７】図６中Ｆ７−Ｆ７線に沿って示す断面図である。
【図８】図７中Ｆ８−Ｆ８線に沿って示す断面図である。
【図９】第１実施形態に係る腕時計の竜頭が一段引出された状態で示す図８相当の断面図である。
【図１０】本発明の第２実施形態に係る腕時計の一部をその竜頭ロックレバーがロック位置に在る状態で示す正面図である。
【図１１】図１０中Ｆ１１−Ｆ１１線に沿って示す断面図である。
【図１２】第２実施形態に係る腕時計の一部をその竜頭ロックレバーがロック解除位置に在る状態で示す正面図である。
【図１３】図１２中Ｆ１３−Ｆ１３線に沿って示す断面図である。
【発明を実施するための形態】
【００３６】
以下、図１〜図９を参照して本発明の第１の実施の形態について、詳細に説明する。
【００３７】
図１，２，５，６中符号１１は携帯時計例えば腕時計を示している。図２及び図６に示すように腕時計１１の時計外装体１２内に、内蔵部品例えば時計ムーブメント１３が設けられているとともに、時刻表示部例えば円形の文字板１４が設けられている。文字板１４の表示は時計ムーブメント１３で駆動される時刻表示針、具体的には図１及び図５に示した短針１５、長針１６、及び分針１７により指し示される。
【００３８】
図２及び図６に示すように時計外装体１２は、胴２１と、ガラス２２と、裏蓋２３を備えている。胴２１はステンレス鋼やチタン等の金属又は合成樹脂により環状に作られている。文字板１４を透視させるガラス２２は胴２１の正面部に液密に装着されている。裏蓋２３は、金属又は合成樹脂で作られていて、胴２１の裏面を閉じて液密に装着されている。
【００３９】
図１及び図５に示すように胴２１は、正面から見て文字板１４の周囲を囲む円環状部位２１ａと、凸部２４と、一対のかん足２５と、他の一対のかん足２６を有している。
【００４０】
胴２１と一体の円環状部位２１ａは、円形であり、その内周部にガラス２２が装着されている。図２及び図６に示すように凸部２４は文字板１４の３時側に一体に突設されている。この凸部２４の上面は円環状部位２１ａの上端より低い位置に在るとともに、凸部２４の下面は裏蓋２３の表面（下面）２３ａより高い位置にある。凸部２４は、その先端部に垂直な竜頭受け面２４ａを有しているとともに、この竜頭受け面２４ａを底とする凹み２４ｂを形成する竜頭カバー部２４ｃを有している。凹み２４ｃの下端は凸部２４の下面に開放されている。なお、竜頭３１をその外周から保護する竜頭カバー部２４ｃ及び凹み２４ｃは省略してもよい。かん足２５は図１及び図５において胴２１の上部から一体に突設され、他のかん足２６は図１及び図５において胴２１の下部から一体に突設されていて、これらには図示しないベルト等の腕装着部材が取付けられる。
【００４１】
胴２１はこれを半径方向に貫通して形成された竜頭取付け孔２７を有している。竜頭取付け孔２７は、文字板１４の３時の時刻表示側に設けられている。この竜頭取付け孔２７は、小径孔部２７ａとこれに連続した大径孔部２７ｂとからなる。小径孔部２７ａは胴２１の内部に開放され、大径孔部２７ｂは竜頭受け面２４ａに開放されている。小径孔部２７ａの内面はこの小径孔部２７ａに固定された巻真パイプ２８で覆われている。
【００４２】
竜頭取付け孔２７に金属製の竜頭３１が取付けられている。図２、図４、図６、図８、及び図９に示すように竜頭軸３１ａとこれに連続された竜頭頭部３２とを備えており、竜頭軸３１ａは、第１の軸部材３３と第２の軸部材３６からなる。
【００４３】
第１の軸部材３３の中心軸線と直交する方向の断面は円形である。この第１の軸部材３３は、巻真パイプ２８に大径孔部２７ｂ側から胴２１の内部に向けて挿入されている。第１の軸部材３３の大径孔部２７ｂ内に位置された端部外周に、複数例えば一対の係止凸部３４が一体に突設されている。これら係止凸部３４は第１の軸部材３３の周方向に180°離れている。更に、第１の軸部材３３の大径孔部２７ｂ内に位置された端部に、その端面に開放する穴３３ａが設けられている。
【００４４】
この第１の軸部材３３に胴内側から巻真３５が連結されている。巻真３５は時計ムーブメント１３に接続されている。竜頭３１の操作は巻真３５を介して時計ムーブメント１３に与えられ、それにより、時刻修正やカレンダーの日付修正等が行われる。
【００４５】
第２の軸部材３６は竜頭頭部３２の裏面中央部から一体に突出されている。第２の軸部材３６は胴外側から大径孔部２７ｂに摺動可能に挿入されており、先端部に包囲端部３６ａを有している。包囲端部３６ａは、穴３３ａが設けられた第１の軸部材３３の端部を受け入れ可能である。
【００４６】
包囲端部３６ａには、その内周面に開放する係止溝３７が設けられているとともに、止め輪３８が固定されている。係止溝３７は、係止凸部３４と同数形成されていて、第２の軸部材３６の軸方向に延びている。止め輪３８は、包囲端部３６ａの開口端に固定されていて、各係止溝３７の端を閉じている。
【００４７】
第２の軸部材３６には、包囲端部３６ａの内側空間に開放された穴３６ｂが設けられている。この穴３６ｂは第１の軸部材３３の穴３３ａに対向している。第２の軸部材３６は、その軸方向中間部に形成されたロック溝３９を有している。このロック溝３９は第２の軸部材３６の周方向に連続して形成されている。第２の軸部材３６の包囲端部３６ａ以外の部位の中心軸線と直交する方向の断面は円形である。ロック溝３９の両側に連続した軸部位３６ｃ，３６ｄの直径は大径孔部２７ｂの径にほぼ等しい。
【００４８】
第２の軸部材３６は胴外側から大径孔部２７ｂに摺動可能に挿入されている。その包囲端部３６ａ内に第１の軸部材３３が受入れられているとともに、係止溝３７は係止凸部３４に摺動可能に係合されている。これにより、竜頭３１は文字板１４の３時の時刻表示側に対応して時計外装体１２に取付けられている。
【００４９】
竜頭３１は例えばコイルばねからなる付勢体４０を有している。付勢体４０は、その両端部を穴３３ａ，３６ｂに挿入して、第１の軸部材３３と第２の軸部材３６との間に圧縮状態に挟設されていて、第２の軸部材３６を胴外側に向けて付勢している。竜頭３１が図２に示された引出し待機位置に配置された状態で、この竜頭３１が回転操作されることがあっても、その回転力は時計ムーブメント１３に何ら作用しない。これとともに、前記引出し待機位置に配置された竜頭３１の第１の軸部材３３の端面は、包囲端部３６ａの底に接触ないしは近接した状態にあるので、付勢体４０は圧縮状態にある。更に、前記引出し待機位置に配置された竜頭３１は、その竜頭頭部３２の裏面を胴２１の竜頭受け面２４ａに接触させた状態に保持されている。
【００５０】
胴２１は部材取付け部４１を有している。図３及び図７に示すように部材取付け部４１は、竜頭取付け孔２７の近傍に設けられていて、上孔部４１ａと、下孔部４１ｂと、中間孔部４１ｃとを有している。上孔部４１ａは凸部２４の上面に開放していて、その中心軸線と直交する方向の断面は円形である。下孔部４１ｂは凸部２４の下面に開放していて、その中心軸線と直交する方向の断面は円形である。この下孔部４１ｂは例えば上孔部４１ａと同径である。中間孔部４１ｃは上孔部４１ａと下孔部４１ｂを連通して設けられている。中間孔部４１ｃはその中心軸線と直交する方向の断面は円形であり、その径は上孔部４１ａ及び下孔部４１ｂの径より小さい。
【００５１】
上孔部４１ａ、下孔部４１ｂ、及び中間孔部４１ｃの中心軸線は、部材取付け部４１の中心軸線をなして上下方向に一直線に連続している。そのため、部材取付け部４１は凸部２４を上下方向に貫通する段付き孔で形成されている。この部材取付け部４１の中間孔部４１ｃは、図３及び図４等に示すように竜頭取付け孔２７の大径孔部２７ｂの周部に連通されている。言い換えれば、部材取付け部４１は、竜頭取付け孔２７に対して上下に直交するとともに、竜頭取付け孔２７にその中央部から外れた部位に連通して形成されている。部材取付け部４１の上孔部４１ａ及び下孔部４１ｂは竜頭取付け孔２７に対してこれから上下に外れている。
【００５２】
胴２１の凸部２４に、部材取付け部４１の下孔部４１ｂの下端開口を閉じるキャップ４２がねじ込まれている。このキャップ４２の下面は裏蓋２３の表面２３ａより高い位置に在る。
【００５３】
胴２１の凸部２４に金属製の竜頭ロック部材例えば竜頭ロック釦４５が下方に押し込み可能に取付けられている。
【００５４】
すなわち、図２及び図３等に示すように竜頭ロック釦４５は、その軸方向と直交する方向の断面がいずれも円形をなした係合軸部４６と、逃げ軸部４７と、釦頭部４８を有している。係合軸部４６は中間孔部４１ｃと略同径である。釦頭部４８は、大径部とその裏側に突設された小径軸部を有している。釦頭部４８の大径部は上孔部４１ａと略同径であり、釦頭部４８の小径軸部は中間孔部４１ｃと略同径である。逃げ軸部４７は、係合軸部４６の上側に連続していて、この係合軸部４６と釦頭部４８の小径軸部を一体に連続している。この逃げ軸部４７の直径は係合軸部４６と釦頭部４８の小径軸部より小さく、それによって、逃げ軸部４７は常に竜頭３１と交差しないようになっている。
【００５５】
竜頭ロック釦４５は部材取付け部４１に上下動可能に収納されていて、その係合軸部４６は中間孔部４１ｃに摺動可能に嵌合されている。釦頭部４８の大径部と、上孔部４１ａの底との間にコイルばねからなる付勢部材４９が圧縮状態に挟設されている。この付勢部材４９の付勢力で竜頭ロック釦４５は、上孔部４１ａの開放された上端から上方に突出されている。言いえれば、竜頭ロック釦４５は下方に押し込み可能に設けられている。そして、竜頭ロック釦４５の上方への抜け止めをするために、係合軸部４６の下端部にストッパ５０が取付けられている。このストッパ５０は竜頭ロック釦４５の上下動に伴って下孔部４１ｂの底に接離可能である。ストッパ５０はキャップ４２で覆い隠されている。
【００５６】
竜頭ロック釦４５はロック位置とロック解除位置とに渡って移動可能である。竜頭ロック釦４５が付勢部材４９で押上げられてロック位置に配置された状態を図３に示し、竜頭ロック釦４５が押下げられてロック解除位置に配置された状態を図７に示す。
【００５７】
腕時計１１の竜頭３１を操作するとき以外の通常の状態では、竜頭ロック釦４５はロック位置に配置されている。そして、この状態では、図３に示すように竜頭ロック釦４５の係合軸部４６の上部が、竜頭取付け孔２７と部材取付け部４１との連通部に、その下方から上向きに挿入された状態にある。そのため、係合軸部４６は、竜頭３１の第２の軸部材３６の移動軌跡と交差していて、この交差部分が図４に示すように第２の軸部材３６のロック溝３９に入り込んでいる。
【００５８】
この係合により竜頭３１が引出し待機位置に保持されていて、竜頭３１はその軸方向に移動できないように拘束されている。したがって、こうして拘束された状態の竜頭３１に、これを引出す力が作用しても、竜頭３１が不用意に胴外側に向けて引出されることは防止される。
【００５９】
次に、竜頭３１をその操作のために１段の位置又は２段の位置に引出す手順を説明する。
【００６０】
まず、竜頭ロック釦４５を図７に示したロック解除位置に押下げる。この操作はワンタッチで行うことができる。それにより、竜頭ロック釦４５の係合軸部４６が、竜頭取付け孔２７と部材取付け部４１との連通部の下方に移動されて、この係合軸部４６が第２の軸部材３６のロック溝３９から抜け出て竜頭３１の第２の軸部材３６の移動軌跡から外れる。この場合、釦頭部４８の小径部が部材取付け部４１の中間孔部４１ｃに上側から挿入されるが、この釦頭部４８の小径部は竜頭ロック釦４５が最大に押下げられた状態でも第２の軸部材３６の移動軌跡から外れた位置に留まる。更に、逃げ軸部４７はいかなる状態においても第２の軸部材３６の移動軌跡から外れて配置されている。そのため、竜頭ロック釦４５がワンタッチで押下げられることによって、竜頭ロック釦４５による竜頭３１の拘束が解除される。
【００６１】
こうしたロック解除により竜頭３１の軸方向移動が可能な状態となる。このため、付勢体４０の付勢力で第２の軸部材３６及び竜頭頭部３２が胴外側に向けて自然に押し出されるに伴い、竜頭頭部３２が０段の位置に配置されるとともに、付勢体４０は伸張される。この状態を図８に示す。
【００６２】
この場合、第１の軸部材３３は静止状態にあるので、この第１の軸部材３３の係止凸部３４に対して第２の軸部材３６の係止溝３７が摺動して、前記押し出しがなされる。それにより、第２の軸部材３６の止め輪３８が係止凸部３４に胴内側から引っ掛った状態に保持される。
【００６３】
これとともに、図８及び図９に示すようにロック溝３９の左隣に連続した軸部位３６ｃが、竜頭取付け孔２７と部材取付け部４１との連通部に胴外側に向けて入り込む。これにより、図７に示すように竜頭ロック釦４５の係合軸部４６の上端の角（符号４６ａで示す）に、その上側から第２の軸部材３６が係合される。したがって、竜頭ロック釦４５から手を離しても、この竜頭ロック釦４５はロック位置に保持される。
【００６４】
以上のように竜頭３１が０段の位置に押し出されると、使用者が竜頭頭部３２を掴む上で竜頭カバー部２４ｃに邪魔されないようになるので、容易に竜頭頭部３２を指で掴んで竜頭３１を引出すことができる。この場合、止め輪３８と係止凸部３４との引っ掛りにより、第１の軸部材３３は第２の軸部材３６の動きに追従する。竜頭３１が１段の位置に引出された状態を図９中実線で示す。更に、竜頭３１が２段の位置に引出された場合、竜頭頭部３２の先端は図９中ニ点鎖線で示すように位置される。
【００６５】
そして、使用者は、こうした一段又は二段の位置に竜頭３１を引出した状態で、この竜頭３１を回転させることにより、時刻修正やカレンダーの日付修正を行うことができる。この場合、竜頭頭部３２と一体に回転される第２の軸部材３６の回転は、係止溝３７と係止凸部３４との引っ掛りにより第１の軸部材３３に伝えられ、それと同時に巻真３５を介して時計ムーブメント１３に伝えられる。しかも、こうした竜頭操作では既述のように竜頭ロック釦４５を手で押し続ける必要がないので、腕時計１１を腕に装着したままの状態で、以上の竜頭操作を行うことができる。
【００６６】
又、以上の竜頭操作後、使用者により竜頭３１が付勢部材４９の付勢力に抗してワンタッチ操作で押し込まれる。この場合、係止溝３７が係止凸部３４を摺動しつつ包囲端部３６ａが第１の軸部材３３を更に深く受け入れるので、付勢体４０は圧縮される。こうした押し込みによって竜頭頭部３２の裏面が胴２１の竜頭受け面２４ａに当たるようになると、第２の軸部材３６の軸部位３６ｃが竜頭ロック釦４５の係合軸部４６の上端の角４６ａから外されるとともに、竜頭３１のロック溝３９が部材取付け部４１の中間孔部４１ｃに正しく対向する。
【００６７】
そのため、この時点で、付勢部材４９のばね力で竜頭ロック釦４５がロック位置に押し上げられて、竜頭取付け孔２７と部材取付け部４１との連通部に、その下方から係合軸部４６が入り込む。それにより、図３に示すように係合軸部４６が第２の軸部材３６のロック溝３９に係合されて、竜頭３１の第２の軸部材３６の移動軌跡と交差するように配置される。したがって、竜頭３１が図２及び図４に示した引出し待機位置に保持される。こうして竜頭３１の押し込みが完了した時点では、以上のように竜頭ロック釦４５が竜頭３１のロック溝３９に係合されるので、付勢体４０圧縮状態に保持される。
【００６８】
以上のように竜頭３１の誤操作を防止するために竜頭３１を引出し待機位置に保持することを、竜頭３１のワンタッチ押込み操作で実現できる。これとともに、竜頭３１を引出してその操作を可能とすることを、竜頭ロック釦４５のワンタッチ操作、具体的には竜頭ロック釦４５のワンタッチ押し込み操作で実現できる。したがって、いずれの場合でもワンタッチで操作ができるので、操作性が良い。
【００６９】
腕時計１１の竜頭３１の強度は、竜頭軸３１ａに設けたロック溝３９により低下している。しかし、図９中ニ点鎖線で示すように竜頭３１が最大に引き出された状態でも、竜頭３１のロック溝３９は竜頭取付け孔２７内に配置されているとともに、このロック溝３９の両側に連続した竜頭軸３１ａの軸部位３６ｃ、３６ｄが竜頭取付け孔２７の内面で支持されている。このため、竜頭３１が最大に引出された状態で腕時計１１が落下した場合、それに伴う衝撃を一対の軸部位３６ｃ、３６ｄを介して胴２１で支持できる。したがって、一対の軸部位３６ｃ、３６ｄの間の強度が弱い小径軸部に前記衝撃が集中して加わらないようにできるので、竜頭軸３１ａが変形する恐れがない。
【００７０】
又、腕時計１１が備えた竜頭ロック釦４５の軸方向と直交する方向の断面は円形であるので、この竜頭ロック釦４５を形成する加工、及びこの竜頭ロック釦４５が収納される部材取付け部４１を胴２１に形成する加工が容易である。こうした条件下において、付勢体４０の付勢力は付勢部材４９の付勢力と同じかそれより小さく設定されている。このため、断面が円形の竜頭ロック釦４５が部材取付け部４１内で回転する可能性があるにも拘らず、付勢体４０の力で竜頭ロック釦４５が回転されないようにでき、それに伴い、竜頭３１が胴外側に不用意に突出されることを防止できる。
【００７１】
更に、腕時計１１の部材取付け部４１は、上端が開放された上孔部４１ａと、下端が開放された下孔部４１ｂと、これら上下の孔部より小径で竜頭取付け孔２７に連通された中間孔部４１ｃとを有している。このため、部材取付け部４１が胴２１を上下方向に貫通して設けられるので、底がある穴からなる部材取付け部を胴２１に加工する場合に比較して、胴２１に対する部材取付け部４１の加工が容易である。
【００７２】
これとともに、この部材取付け部４１に収納された断面が円形の竜頭ロック釦４５は、中間孔部４１ｃを摺動する係合軸部４６と、逃げ軸部４７と、この逃げ軸部４７の上側に連続して上孔部４１ａに没入可能な釦頭部４８とを有している。このため、竜頭ロック釦４５は円柱素材に対して径が異なる部位を加工することで形成でき、竜頭ロック釦４５の加工が容易である。
【００７３】
そして、釦頭部４８と上孔部４１ａの底との間に付勢部材４９が挟設されているとともに、係合軸部４６の下端部に下孔部４１ｂの底に下方から接離されるストッパ５０が設けられている。このストッパ５０は例えば係合軸部４６に取付けられた止め輪からなる。このため、部材取付け部４１に収納された竜頭ロック釦４５が付勢部材４９で上向きに付勢されているにも拘らず、この竜頭ロック釦４５が上方へ抜け出ることをストッパ５０によって防止できる。しかも、ストッパ５０は竜頭ロック釦４５の下方への移動を妨げないので、竜頭ロック釦４５のワンタッチ操作によるロック解除位置への押下げを実現できる。
【００７４】
更に、胴２１の裏側には下孔部４１ｂを閉じるキャップ４２が取付けられていて、このキャップ４２が時計外装体１２の裏蓋２３の表面より高く配置されている。これにより、腕時計１１が、使用者の手に装着して使用される場合に、下孔部４１ｂを閉じたキャップ４２が手の肌に強く接して違和感を与えることを抑制できるので、使用感が良い。
【００７５】
又、腕時計１１の胴２１にはその内側に配設された文字板１４の３時側に対応して凸部２４が形成されていて、この凸部２４に竜頭ロック釦４５及び付勢部材４９が配設されている。そのため、胴２１全体を大径に作ることなく、既述のように竜頭３１を引き出し待機位置にロックするための竜頭ロック釦４５及び付勢部材４９を胴２１に設けることができる。
【００７６】
図１０〜図１３は本発明の第２の実施の形態を示している。この第２実施形態は、部材取付け部、竜頭ロック部材、及び付勢部材等の構成以外は、図１０〜図１３に図示されない構成を含めて第１実施形態と同じである。以下の説明において、第１実施形態と同様な構成については、第１実施形態と同じ符号を付してその説明を省略する。
【００７７】
第２実施形態で、部材取付け部４１は底が有る丸穴で形成されている。この部材取付け部４１は、胴の厚み方向（上下方向）に沿って竜頭取付け孔２７に交差していて、この交差部で部材取付け部４１と竜頭取付け孔２７とが連通されている。部材取付け部４１の上端は凸部２４の上面に開放されているが、この開放部を閉じるように栓５５が凸部２４に装着されている。
【００７８】
栓５５は長方形のガイド孔５６を有している。ガイド孔５６は平面視においてその長手方向が胴の凸部２４の突出方向と直交する方向に延びて形成されている。更に、ガイド孔５６の長手方向一端部は前記交差部（連通部）に上方から対向するようにこの交差部の真上に設けられている。
【００７９】
第２実施形態で、竜頭ロック部材は竜頭ロックレバー５８で形成されている。竜頭ロックレバー５８の上端部は、それより下側の部位よりも細い操作端部５８ａをなしている。竜頭ロックレバー５８は、その操作端部５８ａをガイド孔５６に貫通させるとともに、この竜頭ロックレバー５８の下端部を中心に傾動可能に収納されている。この竜頭ロックレバー５８の傾動は竜頭が有した竜頭軸３１ａの第２の軸部材３６に接離する方向に沿ってなされ、この傾動に伴い竜頭ロックレバー５８はロック溝３９に係脱できる。操作端部５８ａはガイド孔５６に摺動可能であり、この操作端部５８ａをガイド孔５６に沿って腕時計の１２時側にワンタッチ操作で引き動かすことにより、竜頭ロックレバー５８を傾動させてロック溝３９から外すことができる。竜頭ロックレバー５８の操作端部５８ａ以外の部位は、ガイド孔５６から抜け出ることがないようにガイド孔５６の幅より大きく作られている。
【００８０】
第２実施形態で、付勢部材４９は、略Ｕ状ないしは略Ｖ字状をなす板ばねからなり、部材取付け部４１に収納されている。この付勢部材４９は竜頭ロックレバー５８を竜頭軸３１ａに向けて常に付勢している。この付勢により、竜頭３１がワンタッチ操作で押し込まれるに伴って竜頭ロックレバー５８をロック溝３９に係合させることができる。なお、以上説明した以外の構成は、図１０〜図１３に示されない部分を含めて第１実施形態と同じである。
【００８１】
第２実施形態では、以上のように竜頭ロック部材が傾動可能な竜頭ロックレバー５８からなるので、これを傾けるというワンタッチ操作で、竜頭３１の操作を可能とすることができる。つまり、図１１に示すようにロック位置に配置されている竜頭ロックレバー５８が図１３に示すように竜頭軸３１ａから離れるように傾けられることにより、この竜頭ロックレバー５８が竜頭３１の引出し操作の邪魔にならないように竜頭軸３１ａの移動軌跡から外されてロック解除位置に配置される。又、竜頭操作後に、竜頭３１がワンタッチ操作で押し込まれると、竜頭３１のロック溝３９が竜頭ロックレバー５８に対向されるに伴い、付勢部材４９の付勢力で竜頭ロックレバー５８が竜頭軸３１ａに接触するように押し戻されてロック溝３９に入り込んで係合されるので、竜頭３１が誤引出しされない状態に保持される。
【００８２】
以上のように第２の実施形態でも、竜頭３１の誤操作を防止すること及び竜頭３１の操作を可能とすることを、竜頭３１のワンタッチ押込み操作と竜頭ロック部材をなした竜頭ロックレバー５８を傾動させるワンタッチ操作で実現できるので、操作性が良い。
【符号の説明】
【００８３】
１１…腕時計（携帯時計）
１２…時計外装体
１４…文字板
２１…胴
２３…裏蓋
２３ａ…裏蓋の表面
２４…凸部
２７…竜頭取付け孔
３１…竜頭
３１ａ…竜頭軸
３２…竜頭頭部
３３…竜頭軸の第１の軸部材
３４…係止凸部
３５…巻真
３６…竜頭軸の第２の軸部材
３６ａ…包囲端部
３６ｃ、３６ｄ…軸部位
３７…係止溝
３９…ロック溝
４０…付勢体
４１…部材取付け部
４１ａ…上孔部
４１ｂ…下孔部
４１ｃ…中間孔部
４２…キャップ
４５…竜頭ロック釦（竜頭ロック部材）
４６…係合軸部
４７…逃げ軸部
４８…釦頭部（操作端部）
４９…付勢部材
５０…ストッパ
５８…竜頭ロックレバー（竜頭ロック部材）
５８ａ…操作端部
【図１】
2010190856.tif 000003
【図２】
2010190856.tif 000004
【図３】
2010190856.tif 000005
【図４】
2010190856.tif 000006
【図５】
2010190856.tif 000007
【図６】
2010190856.tif 000008
【図７】
2010190856.tif 000009
【図８】
2010190856.tif 000010
【図９】
2010190856.tif 000011
【図１０】
2010190856.tif 000012
【図１１】
2010190856.tif 000013
【図１２】
2010190856.tif 000014
【図１３】
2010190856.tif 000015